(57)【要約】【課題】  表示パネルを後方に凹む湾曲状にしてありながら、パネルを安定に且つ簡単に取付けできる商品陳列棚を提供する。【解決手段】  本発明の商品陳列棚１Ａにおいて、可撓性の表示パネル７の取付部１９ａ、１９ｂはパネル裏面側に突設しており、パネル７は上取付部１９ａと下取付部１９ｂとの間の間隔がパネル取付枠５の上枠９と下枠１１の間隔よりも広い寸法であり且つ支柱３側に凹んだ湾曲を成してパネル取付枠５に取付けてあり、パネルの上取付部１９ａは、パネル取付枠５の上枠９が下枠１１よりも支柱３から離れて位置する場合は上枠９の前面９ａに当接して固定してあり、パネルの下取付部１９ｂは、下枠１１が上枠９よりも支柱３に近接する位置にある場合は下枠１１の下面１１ａに当接して固定してある。【選択図】      図１
2006280714.tif 000002
【特許請求の範囲】
【請求項１】
棚板を取付ける支柱と、パネル取付枠と、可撓性の表示パネルとを備え、パネル取付枠は上枠と下枠と左右の縦枠とを枠組みしてあり、パネル取付枠の上部又は下部のいずれか一方は支柱への取付部を有し、他方は支柱から前方に離れた位置にあり、パネルは上端部及び下端部にパネル取付枠への取付部を有し、パネルの取付部はパネル裏面側に突設しており、パネルは上取付部と下取付部との間の間隔がパネル取付枠の上枠と下枠の間隔よりも広い寸法であり且つ支柱側に凹んだ湾曲を成してパネル取付枠に取付けてあり、パネルの上取付部は、パネル取付枠の上枠が下枠よりも支柱から離れて位置する場合は上枠の前面に当接して固定してあり、上枠が下枠よりも支柱に近接する位置にある場合には上枠の上面に当接して固定してあり、パネルの下取付部は、パネル取付枠の下枠が上枠よりも支柱から離れて位置する場合には下枠の前面に当接して固定してあり、下枠が上枠よりも支柱に近接する位置にある場合は下枠の下面に当接して固定してあることを特徴とする商品陳列棚。
【請求項２】
パネル取付枠は、支柱への取付部がパネル取付枠の下部に位置する場合には、支柱の上部に取付けてあり、支柱への取付部がパネル取付枠の上部に位置する場合には、支柱の下部に取付けてあることを特徴とする請求項１に記載の商品陳列棚。
【請求項３】
棚板を取付ける支柱と、パネル取付具と、可撓性の表示パネルとを備え、パネル取付具は、左右の上部材及び左右の下部材とを有し、左右の上部材及び左右の下部材は各々後側に支柱への取付部を有し且つ前側にパネル取付部を有し、左右の上部材のパネル取付部及び左右の下部材のパネル取付部のいずれか一方は他方よりも支柱に近接した位置にあり、パネルは上端部及び下端部の各々にパネル取付具への取付部を有し、パネルの取付部はパネル裏面側に突設しており、パネルよりも剛性の高い硬質材でできており且つパネルの上端部及び下端部の長手方向に設けてあり、パネルの上取付部と下取付部との間の間隔が上部材のパネル取付部と下部材のパネル取付部の間隔よりも広い寸法であり且つパネルは支柱側に凹んだ湾曲をなして各上部材及び下部材のパネル取付部に取付けてあり、パネルの上取付部は、各上部材のパネル取付部が各下部材のパネル取付部よりも支柱から離れて位置する場合は各上部材の前面に固定してあり、各上部材のパネル取付部が各下部材のパネル取付部よりも支柱に近接する位置にある場合には各下部材の上面に固定してあり、パネルの下取付部は、各下部材のパネル取付部が各上部材のパネル取付部よりも支柱から離れて位置する場合は各下部材の前面に固定してあり、各下部材のパネル取付部が各上部材のパネル取付部よりも支柱に近接する位置にある場合には各下部材の下面に固定してあることを特徴とする商品陳列棚。
【発明の詳細な説明】
【技術分野】
【０００１】
本発明は、湾曲した表示パネルを取付けた商品陳列棚に関するものである。
【背景技術】
【０００２】
特許文献１には、可撓性の表示パネルの左右端をパネル裏面側に突設して形成すると共に、パネルの左右端の間隔を左右のパネル取付枠の間隔よりも狭くして、パネルを左右の支柱間の前方に突設する湾曲を成すようにしてパネルを左右の支柱に取付けたことが開示されている。
特許文献２には、パネル取付枠の上枠を下枠よりも支柱から離れた位置に配置して、表示パネルの上端を上枠に係止し下端を下枠に係止して、パネルを上下方向に傾斜して取付けることが開示されている。
【０００３】
【特許文献１】特開２００１−１７８６００号公報
【特許文献２】特開平１１−１１３６９６号公報
【発明の開示】
【発明が解決しようとする課題】
【０００４】
しかし、特許文献１の技術では、パネルの左右端の間隔が左右のパネル取付枠の間隔よりも狭くしているから、パネルの取付けは、パネルの後側で支柱に固定しなければならないので、取付け作業がし難いという問題がある。
一方、特許文献２の技術では、パネルの上下端は各々長手方向に沿って係止する構成であるから、可撓性のパネルを上下方向に湾曲するようにして取付けた場合、パネルは上端及び下端の長手方向において拠れたり撓んだりしやすいため、パネルの取付けが不安定になるという問題がある。
【０００５】
そこで本発明は、表示パネルを後方に凹む湾曲状にしてありながら、パネルを安定に且つ簡単に取付けできる商品陳列棚の提供を目的とする。
【課題を解決するための手段】
【０００６】
請求項１に記載の発明は、棚板を取付ける支柱と、パネル取付枠と、可撓性の表示パネルとを備え、パネル取付枠は上枠と下枠と左右の縦枠とを枠組みしてあり、パネル取付枠の上部又は下部のいずれか一方は支柱への取付部を有し、他方は支柱から前方に離れた位置にあり、パネルは上端部及び下端部にパネル取付枠への取付部を有し、パネルの取付部はパネル裏面側に突設しており、パネルは上取付部と下取付部との間の間隔がパネル取付枠の上枠と下枠の間隔よりも広い寸法であり且つ支柱側に凹んだ湾曲を成してパネル取付枠に取付けてあり、パネルの上取付部は、パネル取付枠の上枠が下枠よりも支柱から離れて位置する場合は上枠の前面に当接して固定してあり、上枠が下枠よりも支柱に近接する位置にある場合には上枠の上面に当接して固定してあり、パネルの下取付部は、パネル取付枠の下枠が上枠よりも支柱から離れて位置する場合には下枠の前面に当接して固定してあり、下枠が上枠よりも支柱に近接する位置にある場合は下枠の下面に当接して固定してあることを特徴とする。
本発明において、パネルの上取付部を固定する上枠の前面には前側を向いた傾斜面を含み、上枠の上面は上側を向いた傾斜面を含む。同様に下枠の下面には下側を向いた傾斜面を含む。
【０００７】
請求項２に記載の発明は、請求項１に記載の発明において、パネル取付枠は、支柱への取付部がパネル取付枠の下部に位置する場合には、支柱の上部に取付けてあり、支柱への取付部がパネル取付枠の上部に位置する場合には、支柱の下部に取付けてあることを特徴とする。
【０００８】
請求項３に記載の発明は、棚板を取付ける支柱と、パネル取付具と、可撓性の表示パネルとを備え、パネル取付具は、左右の上部材及び左右の下部材とを有し、左右の上部材及び左右の下部材は各々後側に支柱への取付部を有し且つ前側にパネル取付部を有し、左右の上部材のパネル取付部及び左右の下部材のパネル取付部のいずれか一方は他方よりも支柱に近接した位置にあり、パネルは上端部及び下端部の各々にパネル取付具への取付部を有し、パネルの取付部はパネル裏面側に突設しており、パネルよりも剛性の高い硬質材でできており且つパネルの上端部及び下端部の長手方向に設けてあり、パネルの上取付部と下取付部との間の間隔が上部材のパネル取付部と下部材のパネル取付部の間隔よりも広い寸法であり且つパネルは支柱側に凹んだ湾曲をなして各上部材及び下部材のパネル取付部に取付けてあり、パネルの上取付部は、各上部材のパネル取付部が各下部材のパネル取付部よりも支柱から離れて位置する場合は各上部材の前面に固定してあり、各上部材のパネル取付部が各下部材のパネル取付部よりも支柱に近接する位置にある場合には各下部材の上面に固定してあり、パネルの下取付部は、各下部材のパネル取付部が各上部材のパネル取付部よりも支柱から離れて位置する場合は各下部材の前面に固定してあり、各下部材のパネル取付部が各上部材のパネル取付部よりも支柱に近接する位置にある場合には各下部材の下面に固定してあることを特徴とする。
本発明において、パネルの上取付部を固定する上部材の前面には前側を向いた傾斜面を含み、上部材の上面は上側を向いた傾斜面を含む。同様に下部材の下面には下側を向いた傾斜面を含む。
【発明の効果】
【０００９】
請求項１に記載の発明によれば、上下方向に湾曲したパネルの上端部及び下端部には表示パネル裏面側に突設した取付部が設けてあり、パネルの上取付部を上枠に、下取付部を下枠にそれぞれ固定するので上下に湾曲したパネルを安定した状態でパネル取付枠に固定できる。
パネルは上取付部と下取付部との間の間隔がパネル取付枠の上枠と下枠の間隔よりも広い寸法であり且つパネルの上取付部は、パネル取付枠の上枠が下枠よりも支柱から離れて位置する場合は上枠の前面に当接して固定してあり、上枠が下枠よりも支柱に近接する位置にある場合には上枠の上面に当接して固定している。また、パネルの下取付部は、パネル取付枠の下枠が上枠よりも支柱から離れて位置する場合には下枠の前面に固定してあり、下枠が上枠よりも支柱に近接する位置にある場合は下枠の下面に当接して固定している。したがって、パネルの固定作業は、パネルの上端部と下端部とが前後方向いずれの位置にある場合でも支柱の前側からできるので、取付け作業がし易い。
【００１０】
請求項２に記載の発明では、請求項１に記載の発明と同様の効果を奏するとともに、パネル取付枠の支柱取付部がパネル取付枠の下部に位置する場合にはパネル取付枠は支柱の上部に位置している。この場合、パネルの上取付部は上枠の前面にあり、下取付部は下枠の下面にあるので、上取付部及び下取付部は消費者等の目線の届き難い位置にある為、取付部が目立たず、外観が良い。同様に、パネル取付枠の支柱取付部がパネル取付枠の上部に位置する場合にはパネル取付枠は支柱の下部に位置しており、この場合にパネルの下取付部は下枠の前面に位置しており、上取付部は上枠の上面に位置しているので、各パネルの取付部は消費者等の目線の届き難い位置にある為、取付部が目立たず、外観が良い。
【００１１】
請求項３に記載の発明によれば、表示パネルの上端部及び下端部にはパネル裏面側に突設した取付部が各長手方向に固定してあると共に各取付部はパネルよりも剛性の高い硬質材でできているので、上取付部を左右の上部材のパネル取付部に固定し、下取付部を左右の下部材のパネル取付部に固定することにより、上下に湾曲したパネルを安定した状態でパネル取付具に固定できる。
パネルの上取付部と下取付部との間の間隔が上部材のパネル取付部と下部材のパネル取付部の間隔よりも広い寸法であり且つパネルの上取付部は、左右の上部材のパネル取付部が左右の下部材のパネル取付部よりも支柱から離れて位置する場合は各上部材の前面に固定してあり、左右の上部材のパネル取付部が左右の下部材のパネル取付部よりも支柱に近接する位置にある場合には各下部材の上面に固定してある。また、パネルの下取付部は、左右の下部材のパネル取付部が左右の上部材のパネル取付部よりも支柱から離れて位置する場合は各下部材の前面に固定してあり、左右の下部材のパネル取付部が左右の上部材のパネル取付部よりも支柱に近接する位置にある場合には各下部材の下面に固定してある。したがって、パネルの固定作業は、パネルの上取付部と下取付部とが前後方向いずれの位置にある場合でも支柱の前側から固定作業ができるので、取付け作業がし易い。
左右の上部材と左右の下部材は各々支柱への取付部を有しているので、上下の取付位置を変更することにより上下間隔を調整自在であるから、パネルの湾曲状体が調整自在である。
【発明を実施するための最良の形態】
【００１２】
以下に、本発明の実施の形態を添付図面を参照して詳細に説明するが、まず、図１及び図３を参照して本発明の第１実施の形態を説明する。図１は第１実施の形態にかかる商品陳列棚の図であり、（ａ）は図３のＡ−Ａ断面図であり、（ｂ）は（ａ）に示す商品陳列棚の分解斜視図であり、図３は第１及び第２実施の形態にかかる商品陳列棚の斜視図である。尚、図３で一点鎖線で抜き出して示すのは棚板用ブラケットの斜視図である。
図３に示す商品陳列棚には、上部に第１実施の形態にかかる商品陳列棚１Ａが設けられ、下部に第２実施の形態にかかる商品陳列棚１Ｂが設けられている。
第１実施の形態にかかる商品陳列棚１Ａは、左右の支柱３と、パネル取付枠５と、表示パネル（以下単に「パネル」という）７とを備えており、左右の支柱３、３間には背板９が設けられている。
各支柱３には、上下に複数の係止孔４が形成されており、係止孔４にはパネル取付枠５の他に商品を陳列する棚板８用のブラケット１０を係止するようになっている。
パネル取付枠５は、上枠９、下枠１１と、左右の縦枠１３、１３とを枠組みしてある。パネル取付枠５の下部５ｂには支柱３、３への取付部１５が設けてある。取付部１５は本実施の形態では、左右の縦枠１３、１３の各下部に設けた係止突起であり、支柱３、３の任意の位置で係止孔４に挿入して係止するようになっている。尚、各取付部１５の上には、脱落防止ストッパ１７が取付けてある。
この第１実施の形態の商品陳列棚１Ａでは、パネル取付枠５は支柱取付部１５がパネル取付枠５の下部５ｂに位置しており、支柱３の上部３ａに取付けてある。
パネル取付枠５の上枠９が下枠１１よりも支柱３から離れて前側に位置している。上枠９はアングルであり、上枠９の前面９ａがパネル取付部になっている。また、パネル取付枠５の上部には、パネル７を前面から照らす照明器具２５が取付けられている。
パネル取付枠の下部５ｂには、左右の縦枠１３、１３間に下枠１１が取付けてある。下枠１１は、アングルであり、下枠１１の下面１１ａがパネル取付部になっている。
パネル取付枠５の上枠９は下枠１１よりも支柱３から前方に離れて位置している。
パネル７は可撓性であり、本実施の形態では樹脂材でできている。パネル７は上端部７ａ及び下端部７ｂにパネル取付枠５への取付部１９ａ、１９ｂを有し、パネルの取付部１９ａ、１９ｂは各々パネル７をパネル裏面側に突設して形成してある。上取付部１９ａは上枠９の長手方向に亘って上枠９に当接して固定してあり、下取付部１９ｂは下枠１１の長手方向に亘って下枠１１に当接して固定している。
パネル７は上取付部１９ａと下取付部１９ｂとの間の間隔がパネル取付枠５の上枠９と下枠１１の間隔よりも広い寸法であり且つ支柱側に凹んだ湾曲を成してパネル取付枠５に取付けてある。
パネル７の上取付部１９ａは、上枠１１の前面にねじ２１、２１で固定してあり、パネル７の下取付部１９ｂは下枠の下面にねじ２５、２５で固定してある。尚、パネル７には前面に印刷したフィルムを貼り付けている。
【００１３】
次に、第１実施の形態にかかる商品陳列棚１Ａの施工及び作用を説明する。施工は、上枠９、下枠１１及び左右の縦枠１３、１３をねじで止めて枠組みして、照明器具２５を取付けた後、左右の縦枠１３１３の下部に設けてある係止部１５、１５を各支柱３、３の係止孔４に係止して取付けた後、脱落防止ストッパ１７、１７支柱３、３に係止する。
パネル７の取付けは、上端部７ａの左右端側に設けた上取付部１９ａを上枠９の前面９ａにねじ２１、２１で固定し、下端部７ｂの左右端側に設けた下取付部１９ｂを下枠１１の下面１１ａにねじ２３、２３で固定する。
【００１４】
第１実施の形態によれば、パネル７の上端部７ａ及び下端部７ｂには、パネル裏面側に突設した取付部１９ａ、１９ｂが設けてあり、上取付部１９ａを上枠９に下取付部１９ｂを下枠１１にそれぞれ固定するので、上下に湾曲したパネル７を安定した状態でパネル取付枠５に固定できる。
パネル７の上取付部１９ａは上枠９の前面９ａに当接して固定しており、パネル７の下取付部１９ｂは、下枠１１の下面１１ａに当接して固定している。したがって、パネル７の固定作業は、支柱３の前側からできるので、取付け作業がし易い。
本実施の形態では、パネル７の上部７ａと下部７ｂとは、それぞれ左右端のみをねじ２１、２３で固定するだけで済むので、ねじ止め箇所が少なくて済み、部品点数を少なくできると共に取付け作業が簡単である。
パネル取付枠５の支柱取付部１５がパネル取付枠５の下部に位置すると共にパネル取付枠５は支柱３の上部に位置しており、パネル７の上取付部１９ａは上枠９の前面９ａに固定してあり、下取付部１９ｂは下枠１１の下面１１ａに固定してあるで、各々取付部１９ａ、１９ｂを止めるねじ２１、２３は、消費者等の目線の届き難い位置にある為、特にカバー材を設けなくても、取付部１９ａ、１９ｂのねじ２１、２３が目立たず、外観が良い。
【００１５】
次に、他の実施の形態について説明するが、以下に説明する他の実施の形態において、上述した実施の形態と同一の作用効果を奏する部分には同一の符号を付することにより、その部分の詳細な説明を省略し、以下の説明では、第１実施の形態と主に異なる点を説明する。
図２及び図３を参照して、第２実施の形態にかかる商品陳列棚１Ｂを説明する。図２は第２実施の形態にかかる商品陳列棚の図であり、（ａ）は図３に示すＢ部を拡大して示す斜視図であり、（ｂ）は（ａ）に示す商品陳列棚の分解斜視図である。
この第２実施の形態にかかる商品陳列棚１Ｂでは、パネル取付枠５には上部５ａに支柱３への取付部１５を設けたものであり、支柱３への取付部１５は左右の縦枠１３、１３の各上部に設けてある。また、パネル取付枠５は支柱３の下部に取付けてある。
パネル取付枠５では、上枠９が下枠１１よりも支柱３に近接した位置にある。
パネル７は、上取付部１９ａを上枠９の上面９ｂに当接して固定してあり、下取付部１９ｂを下枠１１の前面１１ｂに当接して固定してある。尚、本実施の形態では、照明具２５はパネル７の後側に設けてある。
【００１６】
この第２実施の形態では、第１実施の形態と同様に、パネル７の上端部７ａ及び下端部７ｂには、パネル裏面側に突設した取付部１９ａ、１９ｂが設けてあり、上取付部１９ａを上枠９に下取付部１９ｂを下枠１１にそれぞれ当接して固定するので、上下に湾曲したパネル７を安定した状態でパネル取付枠５に固定できる。
本実施の形態では、パネル取付枠５の下枠１１が上枠９よりも支柱３から離れて位置しており且つパネル７の上取付部１９ａは上枠９の上面９ｂにねじ２１、２１で固定しており、上枠９は下枠１１よりも支柱３に近接する位置にあり且つパネル７の下取付部１９ｂは、下枠１１の前面１１ｂにねじ２３、２３で固定している。したがって、パネル７の固定作業は、支柱３の前側からできるので、取付け作業がし易い。
パネル７の上部７ａと下部７ｂとは、それぞれ左右端のみをねじ２１、２１、２３、２３で固定するだけで済むので、ねじ止め箇所が少なくて済み、部品点数を少なくできると共に取付け作業が簡単である。
パネル取付枠５の支柱取付部１５がパネル取付枠５の上部に位置しており且つパネル取付枠５は支柱３の下部に位置しており、パネル７の上取付部１９ａは上枠９の上面９ｂに固定してあり、下取付部１９ｂは下枠１１の前面１１ｂに固定してあるので、各々取付部１９ａ、１９ｂを止めるねじ２１、２３は、消費者等の目線の届き難い位置にある為、特にカバー材を設けなくても、取付部１９ａ、１９ｂのねじ２１、２３が目立たず、外観が良い。
【００１７】
図４を参照して本発明の第３実施の形態を説明する。図４の（ａ）は、第３実施の形態にかかる商品陳列棚の側面図であり、（ｂ）は分解斜視図である。
この第３実施の形態は、支柱３と、パネル取付具３１と、可撓性のパネル７とを備えており、パネル取付具３１は支柱３の上部に設けている。パネル取付具３１は、左右の上部材３３、３３及び左右の下部材３５、３５とを有している。左右の上部材３３、３３及び左右の下部材３５、３５は各々後端に支柱への取付部１５有し、左右の上部材３３、３３には前端にパネル取付部３７、３７が設けてあり、左右の下部材３５、３５には前端にパネル取付部３９、３９が設けてある。
下部材３５のパネル取付部３９は上部材３３のパネル取付部３７よりも支柱３に近接した位置にある。
パネル７は上端部７ａ及び下端部７ｂの各々にパネル裏面側に突設した取付部１９ａ、１９ｂを備えている。各取付部１９ａ、１９ｂはパネルよりも剛性の高い硬質材であり、本実施の形態では金属材である。上取付部１９ａはパネルの上端部７ａの長手方向に亘って固定してあり、下取付部１９ｂはパネルの下端部７ｂの長手方向に亘って固定してある。
各上部材３３のパネル取付部３７は上部材３３の前面３３ａに設けてあり、各下部材３５のパネル取付部３９は下部材３５の下面３５ａに設けてある。
上取付部１９ａは、各上部材３３のパネル取付部３７に固定してあり、パネル７の下取付部１９ｂは、各下部材３５、３５のパネル取付部３９に固定してある。
【００１８】
この第３実施の形態によれば、パネル７の上端部７ａにはパネル裏面側に突設した上取付部１９ａが長手方向に設けてあり、パネルの下端部７ｂにはパネル取付具３１側に突設した下取付部１９ｂが長手方向に設けてあると共に、上取付部１９ａを各上部材３３のパネル取付部３７に固定し、下取付部１９ｂを各下部材３５のパネル取付部３９に固定するので上下に湾曲したパネルを安定した状態でパネル取付具に固定できる。
パネル７の上取付部１９ａは各上部材３３の前面３３ａに固定してあり、パネル７の下取付部１９ｂは、各下部材３５の下面３５ａに固定しているので、パネル７の固定作業は支柱３の前側からでき、取付け作業がし易い。
左右の上部材３３、３３と左右の下部材３５、３５は各々支柱３への取付部１５を有しているので、上下の取付位置を変更することにより上下間隔を調整自在であるから、パネル７の湾曲状体が調整自在である。
【００１９】
図５を参照して本発明の第４実施の形態を説明する。図５の（ａ）は、第４実施の形態にかかる商品陳列棚の側面図であり、（ｂ）は分解斜視図である。
第４実施の形態にかかる商品陳列棚１Ｄでは、上部材３３のパネル取付部３７が下部材３５のパネル取付部３９よりも支柱３に近接した位置にあると共にパネル取付具３１を支柱３の下部３ｂに設けている点が、第３実施の形態と異なる。
また、各下部材３５のパネル取付部３９は、各上部材３３のパネル取付部３７は上部材３３の上面３３ｂに設けてあり、各下部材３５のパネル取付部３９は下部材３５の前面３５ｂに設けてある。各下部材３５のパネル取付部３９は各上部材３３のパネル取付部３７よりも支柱３から離れて前方に位置しており、パネルの上取付部１９ａは、各上部材３３の上面３３ｂに固定してあり、パネル７の下取付部１９ｂは、各下部材３５の前面３５ｂに固定してある。
【００２０】
この第４実施の形態にかかる商品陳列棚１Ｄによれば、パネル７の上端部７ａにはパネル裏面側に突設した上取付部１９ａが長手方向に設けてあり、パネルの下端部７ｂにはパネル裏面側に突設した下取付部１９ｂが長手方向に設けてあると共に、上取付部１９ａを各上部材３３のパネル取付部３７に固定し、下取付部１９ｂを各下部材３５のパネル取付部３９に固定するので上下に湾曲したパネルを安定した状態でパネル取付具に固定できる。
パネル７の上取付部１９ａは各上部材３３の上面３３ｂに固定してあり、パネルの下取付部１９ｂは、各下部材３５の前面３５ｂに固定しているので、パネル７の固定作業は支柱３の前側からでき、取付け作業がし易い。
左右の上部材３３、３３と左右の下部材３５、３５は各々支柱３への取付部１５を有しているので、上下の取付位置を変更することにより上下間隔を調整自在であるから、パネル７の湾曲状体が調整自在である。
【００２１】
本発明は、上述した実施の形態に限らず、本発明の要旨を逸脱しない範囲で種々変形可能である。
例えば、第１及び第２実施の形態におけるパネルの取付部１９ａ、１９ｂのパネル取付枠５への固定箇所や、第３及び第４実施の形態における上取付部１９ａ、下取付部１９ｂのパネル取付具３１への固定箇所はいくつのねじで取付けるものであってもよいし、固定方法はねじ止めに限らず溶着等によるものであってもよい。
第１及び第２実施の形態にかかる商品陳列棚１Ａ、１Ｂや、第３及び第４実施の形態にかかる商品陳列棚１Ｃ、１Ｄを組み合わせて用いることに限らず、各々単独で用いてもよい。
パネル７は樹脂製のものに限らず、金属薄膜等の可撓性を有するものであってもよい。
第１実施の形態１Ａ、第２実施の形態１Ｂや第４実施の形態において、照明器具２５を設けなくてもよいし、第３実施の形態において左右の上部材３３、３３に照明器具２５を取付けるものであってよい。
第１及び第２実施の形態において、支柱３の取付部１５は上枠９や下枠１１に設けるものであってもよい。
第３及び第４実施の形態において、パネルの上取付部１９ａ及び下取付部１９ｂは金属材に限らず、パネルよりも硬質の樹脂材であってもよい。
【図面の簡単な説明】
【００２２】
【図１】第１実施の形態にかかる商品陳列棚の図であり、（ａ）は図３のＡ−Ａ断面図であり、（ｂ）は（ａ）に示す商品陳列棚の分解斜視図である。
【図２】第２実施の形態にかかる商品陳列棚の図であり、（ａ）は図３に示すＢ部を拡大して示す斜視図であり、（ｂ）は（ａ）に示す商品陳列棚の分解斜視図である。
【図３】第１及び第２実施の形態にかかる商品陳列棚の斜視図である。
【図４】（ａ）は、第３実施の形態にかかる商品陳列棚の側面図であり、（ｂ）は分解斜視図である。
【図５】（ａ）は、第４実施の形態にかかる商品陳列棚の側面図であり、（ｂ）は分解斜視図である。
【符号の説明】
【００２３】
１Ａ      第１実施の形態にかかる商品陳列棚
１Ｂ      第２実施の形態にかかる商品陳列棚
１Ｃ      第３実施の形態にかかる商品陳列棚
１Ｄ      第４実施の形態にかかる商品陳列棚
３        支柱
３ａ      上部
３ｂ      下部
４        係止孔
５        パネル取付枠
５ａ      上部
５ｂ      下部
７        パネル
７ａ      上端部
７ｂ      下端部
９        上枠
９ａ      前面
９ｂ      上面
１１      下枠
１１ａ    下面
１１ｂ    前面
１５      取付部
１９ａ    上取付部
１９ｂ    下取付部
３１      パネル取付具
３３      上部材
３３ａ    前面
３３ｂ    上面
３５      下部材
３５ａ    下面
３５ｂ    前面
３７      パネル取付部
３９      パネル取付部
【図１】
2006280714.tif 000003
【図２】
2006280714.tif 000004
【図３】
2006280714.tif 000005
【図４】
2006280714.tif 000006
【図５】
2006280714.tif 000007